(57)【特許請求の範囲】
【請求項１】
デスクの幕板の内面に水平方向に固設された係止レールに基部が係着される第１受部材と、一端が前記第１受部材の基部側にスライド可能に取付けられ他端が第１受部材の先端側に係脱自在とされて係着時にループ状をなすようにした第２受部材とを具備し、
前記係止レールは外端上下部長手方向に突条を有し、前記第１受部材はその基部に前記係止レールの一方の突条に係合する係合部と他方の突条に係合する係合部およびその係合を解くための突片とを有し、前記基部から水平方向に延びる載置部の外端には立上片が設けられ、この立上片が立上がる面とは反対側の面には前記第２受部材の摺動部が嵌挿される断面チャンネル状の摺動レール部と前記第２受部材の自由端が係脱し得る断面コ字状の係止部とを有している
ことを特徴とするデスクにおける配線受。
【発明の詳細な説明】
【０００１】
【発明の属する技術分野】
本発明は事務用デスクに係り、特に多種のケーブルや長いケーブルを効率よくかつ明瞭に区分けしかつＯＡ機器の接続部に外力が伝わることがなく、電源コンセント類をも最適な状態に収納することができる配線受けに関する。
【０００２】
【従来の技術】
近年、オフィスにおける急速なＯＡ化に伴い、これらＯＡ機器を載置する事務用デスクも機器の配線等をより良く処理することができるよう種々工夫がなされている。
【０００３】
従来の上記ＯＡ機器の配線処理は、デスクの後縁と天板との間に配線空間を形成しておき、上記天板と後縁との間に着脱自在な配線カバーを設け、さらにデスクの幕板の内面側にＯＡ機器の余長ケーブルや電源コンセント等を設置するようにした皿状の配線受を設けた構造のデスクが一般に使用されている。
【０００４】
【発明が解決しようとする課題】
しかるに従来の事務用デスクの配線受は、デスクの幕板の内面に皿状の部材を取付けてその上にＯＡ機器の余長ケーブルや電源コンセントを設置するようにしただけであるから、電源コンセントへのケーブルと併用して置く場合や、余長ケーブルが非常に長い場合、あるいは様々な種類のケーブルを収納する場合に配線受からこれらの配線がはみ出して外観上も好ましくないばかりでなく、はみ出したケーブル類に足を引掛けたりしてＯＡ機器との接続部に外力を与え、接続部にゆるみを生じたり外れたりするなどの問題があった。
【０００５】
また様々な種類のケーブルを収納する場合、どのＯＡ機器から出ているケーブルかを判別することが難しく、ＯＡ機器の入れ替えの際に著しく手間どるという問題があった。
【０００６】
本発明は上記従来の技術が有する問題点を解消することを課題としてなされたもので、多種のケーブルや長いケーブルを効率よくかつ明瞭に区分けして収納することができるとともに、ＯＡ機器への接続部に外力が加わることがなく、電源コンセント類も最適な状態で収納することができる配線受けを提供するものである。
【０００７】
【課題を解決するための手段】
上記課題を解決する手段として本発明は、デスクの幕板の内面に水平方向に固設された係止レールに基部が係着される第１受部材と、一端が前記第１受部材の基部側にスライド可能に取付けられ他端が第１受部材の先端側に係脱自在とされて係着時にループ状をなすようにした第２受部材とを具備することを特徴とする。
【０００８】
前記係止レールは外端上下部長手方向に突条を有する構成とし、前記第１受部材はその基部に前記係止レールの一方の突条に係合する係合部と他方の突条に係合する係合部およびその係合を解くための突片とを設け、前記基部から水平方向に延びる載置部の外端には立上片を設け、この立上片が立上がる面とは反対側の面には前記第２受部材の摺動部が嵌挿される断面チャンネル状の摺動レール部と前記第２受部材の自由端が係脱し得る断面コ字状の係止部とを有する構成とすることが好ましい。
【０００９】
【発明の実施の形態】
以下、本発明を図面に示す実施の形態を参照して説明する。
【００１０】
図１は本発明による配線受１をデスク２の後部の幕板３に取付けた状態を示すデスクの分解図を示し、図２は同正面図、図３は図２のＡ−Ａ断面図を示しており、デスク２自体は従来の事務用デスクと同様に左右の脚４，４と、この脚４，４上に固定される天板５と、脚４，４の後部間に固定される幕板３と、この幕板３の上端と天板５の後端との間に形成される通線用ダクト６を開閉する化粧カバー７，７…とで構成されている。
【００１１】
図示の実施形態においては、前記幕板３の内面水平方向に上下２条の係止レール８，８が設けられている。この係止レール８は外端の上下部長手方向に突条９，９を有する形状に板金の折曲加工により形成されている。
【００１２】
前記配線受１は第１受部材１０と第２受部材１１とで構成され、いずれも弾性に富む合成樹脂により成形されるものである。
【００１３】
上記第１受部材１０は、図４〜図７に示すように、所要の長さを有し、その基部１０ａ側には、前記係止レール８の一方の突条９に係合する突部１２ａを有する係合部１２と、他方の突条９に係合する突部１３ａを有する係合部１３とを備えており、この係合部１３には係合を解くための手掛けとなる突片１４が外方に突出するように形成され、前記係合部１３の係合時に前記突片１４と幕板３との間に手指が入る程度の間隔Ｓが空くようになっている。
【００１４】
前記係合部１２側にはその上面と同一面をなして水平方向に延びる載置部１５を有し、この載置部１５の外端には立上片１６が形成され、この立上片１６と幕板３との間にケーブル１７が電源コンセント１８（図８〜図１０示）を載置することができるようになっている。
【００１５】
前記第２受部材１１は帯状の部片からなり、その一端には、前記第１受部材１０の載置部１５の基部１０ａ側下面に形成され下端が長手方向に当該第２受部材１１の厚み相当の開口幅のスリット状に開口されて断面Ｃチャンネル状とされた摺動レール部１９に図４の矢印方向にスライド可能に嵌挿されるＴ字状をなす摺動部２０を有し、自由端となる他端には、前記第１受部材１０の載置部１５の前記立上片１６とは反対面に形成された断面コ字状を有する係止部２１に挿入して突部２２，２３同士の係合により外れ止めされるＵ字状に屈曲された係着部２４を有している。この係着部２４は係着操作を容易にするため手掛け部２５，２６を有しており、その係着時には第２受部材１１が半円形状のループ状をなして図５に示すように第１受部材１０に取付くようになっている。なお２７は第２受部材１１の摺動部２０の直下の外面側に突設されたストッパで、第１受部材１０の基部１０ａの側面に対向しておかれ、第２受部材１１に過大な負荷が掛ったとき第２受部材１１の過剰な撓みを防ぐためのものである。
【００１６】
次に作用を説明する。
【００１７】
第１受部材１０を幕板３の係止レール８に取付けるには、図７（Ａ）のように係止レール８の上側の突条９に係合部１２を引掛けるように係合させ、次いで下部の係合部１３を下側の突条９に図７（Ｂ）のように嵌め込むようにすれば、その突部１３ａが突条９に係合して図７（Ｃ）のように係止レール８に取付けられる。
【００１８】
なお第２受部材１１は図７（Ａ）のように予め第１受部材１０に取付けておく方が望ましい。
【００１９】
上記のようにして取付けられた第１受部材１０に対し、第２受部材１１を開けてケーブル１８を保持させるとき、あるいは外すときは、手掛け部２５，２６を手指でつまんで押圧すれば、係着部２４が圧縮されてその突部２３が第１受部材１０の係合部２１の突部２２から外れ（図７（Ｄ）〜（Ｅ））、そのまま係合部２１から抜けば図７（Ｆ）のように開放することができ、ケーブルを自由に出し入れすることができる。その状態を図６に示している。
【００２０】
図８〜図１０は配線受１の使用形態例を示している。
【００２１】
図８（Ａ）は第１受部材１０の載置部１５上に電源コンセント１８を置き、第２受部材１１，１１にケーブル１７をループ状にして保持させた場合を示している。
【００２２】
図８（Ｂ）は多量の余長ケーブル１７を処理する場合であって、２つの第２受部材１１，１１にケーブル１８を「８」の字状に掛止した状態を示している。このような掛け方を行なうことによりＯＡ機器への接続部に外力が伝わらないようにするうえにおいて有効である。
【００２３】
図８（Ｃ）は第１受部材１０の載置部１５と第２受部材１１とに別々のケーブル１７，１７を配線した場合を示すもので、このようにすることにより例えば強電系のケーブルと弱電系のケーブルとを仕分けして保持させることができ、その識別を容易にするうえで有効な使い方となる。
【００２４】
図８（Ｄ）は第１受部材１０の載置部１５上に電源コンセント１８を置き、複数個の第２受部材１１，１１，１１を互いに接触するように位置させ、これら第２受部材１１，１１…によりループ状のケーブル１７を保持させた場合である。こうすることにより重量の大きいケーブルであっても十分に保持させることができる。
【００２５】
図８（Ｅ）は複数のケーブル１７，１７を明確に分離するため、幕板３の上下の係止レール８，８に配線受１，１を取付けて使用する例である。この場合には、下側の係止レール８に第１受部材１０を上下反転して取付け、第２受部材１１が上側になるようにして複数のケーブル１７，１７を上下左右の第２受部材１１，１１を使用して左右別々に分離保持させる。
【００２６】
なお、図９は前記図８（Ａ）の正面および側面を示し、図１０は図８（Ｅ）の正面および側面を示したものである。
【００２７】
第１受部材１０および第２受部材１１の位置を変えたいときは、第１受部材１０については係止レール８にそってスライドさせればその係合部１２，１３が係止レール８の突条９，９上を滑って任意所望の位置にセットすることができ、また第２受部材１１は第１受部材１０の長さの範囲内で摺動レール部１９にそってスライドさせることにより任意所望の位置におくことができ、これらを組合わせてセットすることによりケーブル１７や電源コンセント１８を最適な位置におくことができる。
【００２８】
【発明の効果】
以上説明したように本発明によれば、デスクの幕板の内面水平方向に固設した係止レールに第１受部材を係着し、この第１受部材に第２受部材をループ状をなして一端を係脱自在としたことにより、様々な種類のケーブルや非常に長いケーブルであっても効率よく支持させることができ、しかもケーブルに足を引掛けることが解消されるのでＯＡ機器の接続部に引張力等の外力が伝わることがなく、かつ電源コンセント等も最適な状態で収納することができるなどの効果を奏し、外観上もケーブルが錯綜するような見苦しさを与えることがなく、オフィス景観を整えることができる。
【図面の簡単な説明】
【図１】本発明を適用した事務用デスクの分解斜視図。
【図２】同、デスクの正面図。
【図３】図２のＡ−Ａ断面図。
【図４】本発明による配線受の分解斜視図。
【図５】同、第１受部材に第２受部材を取付けた状態を示す斜視図。
【図６】同、第２受部材にループ状としたケーブルを係止させる過程を示す斜視図。
【図７】（Ａ）〜（Ｆ）は第１受部材および第２受部材の取付過程を示す説明図。
【図８】（Ａ）〜（Ｅ）は本発明による配線受の使用形態例を示す部分斜視図。
【図９】（Ａ）は図８（Ａ）の正面図、（Ｂ）は側面図。
【図１０】（Ａ）は図８（Ｅ）の正面図、（Ｂ）は側面図。
【符号の説明】
１  配線受
３  幕板
５  天板
８  係止レール
９  突条
１０  第１受部材
１１  第２受部材
１２，１３  係合部
１４  突片
１５  載置部
１６  立上片
１７  ケーブル
１８  電源コンセント
１９  摺動レール部
２０  摺動部
２１  係止部
２４  係着部
【図１】
0004447089.tif 000002
【図２】
0004447089.tif 000003
【図３】
0004447089.tif 000004
【図４】
0004447089.tif 000005
【図５】
0004447089.tif 000006
【図６】
0004447089.tif 000007
【図７】
0004447089.tif 000008
【図８】
0004447089.tif 000009
【図９】
0004447089.tif 000010
【図１０】
0004447089.tif 000011